(57)【要約】【課題】放射性物質が封入されたドラム缶の放射能濃度、表面汚染密度、表面線量当量率を測定可能な放射線検出器の校正のために使用される放射線源の取り扱いを簡易にし、放射線源の取扱時間を短くすることが可能な放射線源収容治具を提供する【解決手段】本発明にかかる放射線源収容治具は、所定の幅と所定の長さを有する板状部と、板状部に設けられた放射線源収容孔と、放射線源収容孔を覆う蓋部と、蓋部の一端を基端として蓋部が開閉可能に、一端を板状部に取り付けるヒンジ部と、蓋部の他端を板状部に係止する係止部と、を備えることを特徴とする。【選択図】図１
2012103193.tif 000002
【特許請求の範囲】
【請求項１】
所定の幅と所定の長さを有する板状部と
前記板状部の一面に開口部を有する放射線源収容孔と、
前記放射線源収容孔の前記開口部を覆う蓋部と、
前記蓋部の一端を基端として前記蓋部が開閉可能に、該一端を前記板状部に取り付けるヒンジ部と、
前記蓋部を前記板状部に係止する係止部と、
を備えることを特徴とする放射線源収容治具。
【請求項２】
前記放射線源収容孔は、該放射線源収容孔の底部と収容される放射線源との間に弾性体を備えることを特徴とする請求項１に記載の放射線源収容治具。
【請求項３】
前記係止部は、スライド部を有し、
前記蓋部の前記板状部への係止は、前記スライド部をスライドさせて前記蓋部の他端を係止することにより行うことを特徴とする請求項１または請求項２に記載の放射線源収容治具。
【請求項４】
所定の幅と所定の長さを有する板状部と、
前記板状部を貫通して設けられ、前記板状部の一面に第一の開口部を有し、前記板状部の他面に第二の開口部を有する放射線源収容孔と、
前記放射線源収容孔の前記第一の開口部を覆う第一の蓋部と、
前記放射線源収容孔側に弾性体を備え、前記放射線源収容孔の前記第二の開口部を覆う第二の蓋部と、
前記第一の蓋部の一端を基端として前記第一の蓋部が開閉可能に、該一端を前記板状部に取り付ける第一のヒンジ部と、
前記第二の蓋部の一端を基端として前記第二の蓋部が開閉可能に、該一端を前記板状部に取り付ける第二のヒンジ部と、
前記第一の蓋部を前記板状部に係止する第一の係止部と、
前記第二の蓋部を前記板状部に係止する第二の係止部と、
を備えることを特徴とする放射線源収容治具。
【請求項５】
当該放射線源収容治具は、放射性物質が封入されたドラム缶の放射能濃度、表面汚染密度、表面線量当量率を測定可能な放射線検出器の校正のために使用される放射線源を収容することを特徴とする請求項１から請求項４のいずれか１項に記載の放射線源収容治具。
【発明の詳細な説明】
【技術分野】
【０００１】
本発明は、放射性物質を検査する装置、特に原子力発電所において、放射性物質が封入されたドラム缶の放射能濃度、表面汚染密度、表面線量当量率を測定することにより放射性物質を検査する放射線検出器、の校正のために使用される放射線源を収容する放射線源収容治具に関する。
【背景技術】
【０００２】
原子力発電所においては、原子力発電所の運転に伴い、原子炉、タービン発電機、各種ポンプ、配管等の設備機器や部材等が放射化され、放射性物質に変化したり、新たな放射性物質が生じたりする。これらの放射性物質は、低レベル放射性廃棄物として、廃棄処分される。これらの低レベル放射性廃棄物は、例えば、放射性物質を封入したドラム缶として発電所外に搬出された後、所定の場所に移送され、廃棄処分される。
【０００３】
低レベル放射性廃棄物として廃棄処分されるドラム缶は、発電所外に搬出される際、放射能濃度、表面汚染密度、表面線量当量率などが低レベル放射性廃棄物としての所定の基準を満たしているか放射線検出器により測定される。かかる放射線検出器は性能維持のため適宜校正が必要である。この校正には、コバルト６０やセシウム１３７の放射線源が用いられる。
【０００４】
これらの放射線源から放射される放射線を測定することにより、放射線検出器は校正が行われる。かかる放射線源は、放射線検出器の校正に使用される時は、低レベル放射性廃棄物と同じドラム缶形状の校正装置の所定位置に、例えば、放射線源収容治具に収容された状態で配置される。
【先行技術文献】
【特許文献】
【０００５】
【特許文献１】特になし
【発明の概要】
【発明が解決しようとする課題】
【０００６】
しかし、これらの放射線源は、法律に基づき管理される線源であるため、放射線検出器の校正等に使用される時以外は、所定の保管容器に保管しなければならない。このため、使用の都度、放射線源を保管容器から取り出し、ドラム缶形状の校正装置に配置する必要がある。そして、放射線検出器の校正等に使用した後、再び保管容器に収めて保管しなければならない。
【０００７】
法律に基づき管理される線源であることから、取扱者の被曝量が所定値を超えないように、これらの放射線源を取り扱う時間も制限される。このため、放射線源の取扱時間を可能な限り短くすることが求められていた。特に、放射線源を収容する放射線源収容治具において、放射線源の取り扱いを簡易にし、放射線源の取扱時間を短くすることを可能にする工夫が要請されていた。
【０００８】
本発明は、上記の課題に鑑み、放射性物質が封入されたドラム缶の放射能濃度、表面汚染密度、表面線量当量率を測定可能な放射線検出器の校正のために使用される放射線源の取り扱いを簡易にし、放射線源の取扱時間を短くすることが可能な放射線源収容治具を提供することを目的とする。
【課題を解決するための手段】
【０００９】
上記課題を解決するために、本発明にかかる放射線源収容治具の代表的な構成は、所定の幅と所定の長さを有する板状部と、板状部の一面に開口部を有する放射線源収容孔と、放射線源収容孔の開口部を覆う蓋部と、蓋部の一端を基端として蓋部が開閉可能に、一端を板状部に取り付けるヒンジ部と、蓋部を板状部に係止する係止部と、を備えることを特徴とする。
【００１０】
かかる構成によれば、蓋部を開閉することにより、放射線源を放射線源収容孔に容易に収容し、放射線源収容孔から容易に取り出すことができる。従って、放射線源の取り扱いを簡易にし、放射線源の取扱時間を短くすることができる。
【００１１】
上記の放射線源収容孔は、放射線源収容孔の底部と収容される放射線源との間に弾性体を備えるとよい。かかる構成によれば、蓋部を開けて放射線源を放射線源収容孔から取り出すときに、弾性体の弾性力により放射線源が放射線源収容孔の外方向に押し上げられる。これにより、放射線源を容易に取り出すことができる。従って、放射線源の取り扱いを簡易にし、放射線源の取扱時間を短くすることができる。
【００１２】
上記の係止部は、スライド部を有し、蓋部の板状部への係止は、スライド部をスライドさせて蓋部の他端を係止することにより行うとよい。かかる構成によれば、蓋部の板状部への係止を容易に行うことができる。これにより、放射線源の放射線源収容孔への収容および取り出しを容易にすることができるため、放射線源の取り扱いを簡易にし、放射線源の取扱時間を短くすることができる。
【００１３】
本発明にかかる放射線源収容治具の他の構成は、所定の幅と所定の長さを有する板状部と、板状部を貫通して設けられ、板状部の一面に第一の開口部を有し、板状部の他面に第二の開口部を有する放射線源収容孔と、放射線源収容孔の第一の開口部を覆う第一の蓋部と、放射線源収容孔側に弾性体を備え、放射線源収容孔の第二の開口部を覆う第二の蓋部と、第一の蓋部の一端を基端として第一の蓋部が開閉可能に、一端を板状部に取り付ける第一のヒンジ部と、第二の蓋部の一端を基端として第二の蓋部が開閉可能に、一端を板状部に取り付ける第二のヒンジ部と、第一の蓋部を板状部に係止する第一の係止部と、第二の蓋部を板状部に係止する第二の係止部と、を備えることを特徴とする。
【００１４】
かかる構成によれば、放射線源を放射線源収容孔に収容する場合は、例えば第一の蓋部を閉めて第二の蓋部を開けた状態にして放射線源を第二の蓋部側から放射線源収容孔に収容した後、弾性体を備える第二の蓋部を閉めることにより、放射線源を容易に収容することができる。放射線源を放射線源収容孔から取り出す場合は、第一の蓋部および第二の蓋部が閉じられた状態から、第一の蓋部を開けて放射線源を取り出すときに、放射線源が弾性体の弾性力により放射線源収容孔の外方向に押し上げられることにより、放射線源を容易に取り出すことができる。従って、放射線源の取り扱いを簡易にし、放射線源の取扱時間を短くすることができる。
【００１５】
本発明にかかる放射線源収容治具の他の構成は、放射性物質が封入されたドラム缶の放射能濃度、表面汚染密度、表面線量当量率を測定可能な放射線検出器の校正のために使用される放射線源を収容することを特徴とする。
【００１６】
放射性物質が封入されたドラム缶の放射能濃度、表面汚染密度、表面線量当量率を測定可能な放射線検出器の校正には、放射線源が収容されたドラム缶形状の校正装置が用いられる。ドラム缶形状の校正装置への放射線源の収容においては、放射線源を上記放射線源収容治具に収容して行うことにより、放射線源の取り扱いを簡易にし、放射線源の取扱時間を短くすることができる。従って、かかる放射線源収容治具は、上述した使用方法において特に効果を発揮する。
【発明の効果】
【００１７】
本発明によれば、放射性物質が封入されたドラム缶の放射能濃度、表面汚染密度、表面線量当量率を測定可能な放射線検出器の校正のために使用される放射線源の取り扱いを簡易にし、放射線源の取扱時間を短くすることが可能となる。
【図面の簡単な説明】
【００１８】
【図１】第１実施形態にかかる放射線源収容治具の構成を示す概略図である。
【図２】放射線源収容部の構成を示す図である。
【図３】スライド部を説明する図である。
【図４】スライド部の板状部への取付状態を説明する図である。
【図５】蓋部の開閉による放射線源の収容を説明する図である。
【図６】係止部の他の構成を説明する図である。
【図７】第２実施形態にかかる放射線源収容治具の構成を示す概略図である。
【図８】ドラム缶形状の校正装置への配置を説明する図である。
【発明を実施するための形態】
【００１９】
以下に添付図面を参照しながら、本発明にかかる放射線源収容治具の好適な実施形態について詳細に説明する。なお、かかる実施形態に示す寸法、材料、その他具体的な数値などは、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
［第１実施形態］
図１は、第１実施形態にかかる放射線源収容治具の構成を示す概略図であり、図１（ａ）は線源収容治具１の正面図、図１（ｂ）は線源収容治具の側面図である。
【００２１】
図１に示すように、放射線源収容治具１（以下、「線源収容治具１」と称する）は、板状部１１と、４つの放射線源収容部（以下、「線源収容部１０」と称する）とから構成されている。１つの線源収容部１０は、２つの放射線源収容孔（以下、「線源収容孔１２」と称する）と、蓋部１３と、ヒンジ部１４と、係止部１５とから構成されている。
【００２２】
板状部１１は、所定の幅と所定の長さを有する板状の部材である。部材の厚さは例えば８ｍｍである。板状部１１は、例えば機械的特性および電気的特性に優れたポリアセタール（polyacetal；POM）を材質とすることができる。図１（ｂ）に示すように、板状部１１の背面には補強部６０が設けられている。補強部６０は、例えば板状部と同じ幅と長さを有し、厚さが２ｍｍのアルミ製の板状部材である。補強部６０により、板状部１１の機械的強度を高めることができる。
【００２３】
図２は、放射線源収容部の構成を示す図であり、図２（ａ）は線源収容部１０の正面図、図２（ｂ）は線源収容部１０の背面図である。
【００２４】
線源収容孔１２は、板状部１１の一面に略円形の開口部１２ａを有する略円筒状の孔であり、１つの線源収容部１０に２つ設けられる。板状部１１の一面を加工することにより形成することができる。
【００２５】
蓋部１３は、線源収容孔１２の開口部１２ａを覆うものである。図２（ａ）に示すように、蓋部１３は、例えば矩形状であり、１つの蓋部１３により２つの開口部１２ａを覆うことができる。蓋部１３は、板状部１１と同様にPOMを材質とすることができる。
【００２６】
ヒンジ部１４は、蓋部１３の一端１３ａを板状部１１に取り付けるものである。図２（ａ）に示すように、板状部１１の表面に蓋部１３の一端１３ａを取り付けることにより、ヒンジ部１４を介して蓋部１３の一端１３ａを基端として蓋部１３を開閉可能とすることができる。
【００２７】
係止部１５は、蓋部１３を板状部１１に係止するものである。第１実施形態における係止部１５は、スライド部１５からなり、スライド部１５を閉じられた蓋部１３の方向にスライドさせて蓋部１３の他端１３ｂを係止することにより、蓋部１３を板状部１１に係止することができる。
【００２８】
図３は、スライド部を説明する図である。スライド部１５の本体は、分割スライド部１５ａ、１５ｂにより構成される。分割スライド部１５ａは、一端に略直方体の切欠部１５ｇを有する略直方体の部材に略円筒状の接続部１５ｃが付装されてなる。略直方体の部材と接続部１５ｃは、一体として加工成形されて分割スライド部１５ａを形成することができる。分割スライド部１５ａには、接続部１５ｃを含めて分割スライド部１５ａを貫通するねじ穴１５ｈが設けられている。
【００２９】
分割スライド部１５ｂは、隅に丸みを有する略直方体の部材であり、２つのボールプランジャ１５ｅ、１５ｆを備える。ボールプランジャ１５ｅ、１５ｆは、その先端部が分割スライド部１５ｂの分割スライド部１５ａと向き合う面から所定の長さだけ突出している。分割スライド部１５ｂには、分割スライド部１５ｂを貫通するねじ穴１５ｋが設けられている。
【００３０】
スライド部１５は、分割スライド部１５ａと１５ｂを、分割スライド部１５ａの接続部１５ｃを有する面と、分割スライド部１５ｂのボールプランジャ１５ｅ、１５ｆの先端部が突出する面とを向き合うようにして、ねじ穴１５ｈと１５ｋを合致させた状態で、両ねじ穴１５ｈ、１５ｋに雄ねじ１５ｄをねじ込むことにより構成されている。
【００３１】
図４は、スライド部の板状部への取付状態を説明する図であり、図４（ａ）はスライド部１５を取り付ける前の板状部１１の裏面の概略図、図４（ｂ）はスライド部１５を取り付けた後の同面の概略図である。
【００３２】
図４（ａ）に示す通り、補強部６０および板状部１１の背面から所定の厚さ部分には、隅に丸みを有する略直方体の穴が形成されている。この略直方体の穴は、その幅が分割スライド部１５ｂの幅と略同じであり、その長さが分割スライド部１５ｂの長さよりも、スライド部１５がスライド可能な分だけ長く、その厚さが分割スライド部１５ｂの厚さと略同じである。
【００３３】
板状部１１の中間厚さ部分には、略矩形状の溝部１７が形成されている。この溝部１７は、その幅が接続部１５ｃの直径と略同じであり、その長さが接続部１５ｃの直径よりも、スライド部１５がスライド可能な分だけ長く、その厚さが接続部１５ｃの厚さと略同じである。
【００３４】
分割スライド部１５ａの略直方体の部材が図４（ａ）の奥側に配置されるように接続部１５ｃが溝部１７に挿入される。分割スライド部１５ｂが、ボールプランジャ１５ｅ、１５ｆの先端部が分割スライド部１５ａに向き合うように、図４（ａ）の手前側から挿入される。そして、雄ねじ１５ｄをねじ込むことにより分割スライド部１５ａと１５ｂは接続される。これにより一体とされたスライド部１５は、溝部１７に沿ってスライドすることができる。
【００３５】
図５は、蓋部の開閉による放射線源の収容を説明する図であり、図５（ａ）は蓋部１３が開状態の側面図であり、図５（ｂ）は蓋部１３が閉状態の側面図である。
【００３６】
図５（ａ）に示すように、線源収容孔１２は、その底部１２ｂと、線源収容孔１２に収容される放射線源５０ａ、５０ｂとの間に弾性体１６を備える。弾性体１６は例えば螺旋状のコイルばね１６である。放射線源５０ａ、５０ｂは、例えば、コバルト６０やセシウム１３７であり、略円板状に形成されており、その厚さは５〜６ｍｍである。
【００３７】
放射線源５０ａ、５０ｂを２つの線源収容孔１２にそれぞれ収容する場合は、図５（ａ）に示すように、蓋部１３を開き、線源収容孔１２、１２に放射線源５０ａ、５０ｂを挿入する。このとき、適切な弾性力を有するばね１６を選定することにより、放射線源５０ａ、５０ｂに力が加わらない状態では、放射線源５０ａ、５０ｂの厚さ２ｍｍ程度の下部が線源収容孔１２、１２に収まり、放射線源５０ａ、５０ｂの厚さ３〜４ｍｍ程度の上部は線源収容孔１２、１２の外に出るようにすることができる。ばね１６と放射線源５０ａ、５０ｂとの間に、例えばPOM製の円板状の薄板を配置することにより、ばね１６により放射線源５０ａ、５０ｂが損傷するのを防ぐことができる。
【００３８】
続いて放射線源５０ａ、５０ｂを上面から押圧しながら、蓋部１３を閉じる。スライド部１５は、切欠部１５ｇが閉じられた蓋部１３側に位置するように板状部１１に取り付けられており、蓋部１３を閉じた後、蓋部１３と反対側のスライド可能な端から蓋部１３の方向にスライドされる。これにより、図５（ｂ）に示すように、蓋部１３の他端１３ｂは切欠部１５ｇに挿入され、蓋部１３は板状部１１に係止される。
【００３９】
なお、板状部１１のボールプランジャ１５ｅ、１５ｆの先端部と向き合う面には、スライド部１５がスライド可能なそれぞれの端にあるときに、ボールプランジャ１５ｅ、１５ｆの先端部が接する箇所に、それぞれ凹部が設けられている（図示せず）。これにより、スライド部１５がスライド可能なそれぞれの端に位置したときにボールプランジャ１５ｅ、１５ｆの先端部とこの凹部が嵌合することにより、スライド部１５をスライド可能な両端において、固定することができる。
【００４０】
これにより、蓋部１３を閉じた後の蓋部１３の板状部１１への係止および係止状態からの解放を容易に行うことができ、放射線源５０ａ、５０ｂの線源収容孔１２への収容および取り出しを容易に行うことができる。このため、放射線源５０ａ、５０ｂの取り扱いを簡易にし、放射線源５０ａ、５０ｂの取扱時間を短くすることができる。従って、放射線源５０ａ、５０ｂの取扱者の放射線源５０ａ、５０ｂ取り扱い時の放射線被曝量を低減させることができる。
【００４１】
図６は、係止部の他の構成を説明する図であり、図６（ａ）は放射線源５０ａ、５０ｂを線源収容孔１２に収容する前の図、図６（ｂ）は放射線源５０ａ、５０ｂを線源収容孔１２に挿入したときの図、図６（ｃ）は放射線源５０ａ、５０ｂを線源収容孔１２に収容した後の図である。
【００４２】
第１実施形態における係止部の他の構成として、図６（ａ）に示すように、蓋部２３の他端２３ｂに、中央部が開口した矩形状の金具（係止具）２６が設けられる。板状部１１の所定位置には係止具２６と係合可能な係止部２５が設けられる。かかる構成によれは、図６（ｂ）に示すように、蓋部２３を開いた状態で放射線源５０ａ、５０ｂを線源収容孔１２に挿入し、その後、図６（ｃ）に示すように、蓋部２３を閉じた後、係止具２６と係止部２５の係合により、蓋部２３は板状部１１に係止される。
【００４３】
従って、かかる構成によっても、蓋部２３を容易に開閉して放射線源５０ａ、５０ｂを線源収容孔１２に収容し、線源収容孔１２から取り出すことができる。これにより、放射線源５０ａ、５０ｂの取り扱いを簡易にし、放射線源５０ａ、５０ｂの取扱時間を短くすることができる。このため、放射線源５０ａ、５０ｂの取扱者の放射線源５０ａ、５０ｂ取り扱い時の放射線被曝量を低減させることができる。
【００４４】
［第２実施形態］
図７は、第２実施形態にかかる放射線源収容治具の構成を示す概略図である。第２実施形態にかかる放射線源収容治具（以下、「線源収容治具３」と称する）は、蓋部が板状部の両面に設けられる点で第１実施形態の線源収容治具１と大きく異なる。なお、以下の説明では、第１実施形態の線源収容治具１と実質的に同一の機能や構成を有する要素については、同一の符号を付して重複説明を避ける。
【００４５】
図７に示すように、線源収容治具３は、所定の幅と所定の長さを有する板状部３１と、４つの放射線源収容部（以下、「線源収容部３０」と称する）とから構成されている。
【００４６】
１つの線源収容部３０は、２つの放射線源収容孔（以下、「線源収容孔３２」と称する）と、第一の蓋部３３と、第二の蓋部４３と、第一のヒンジ部３４と、第二のヒンジ部４４と、第一の係止部３５と、第二の係止部４５とから構成されている。以下、第１実施形態と相違する機能、構成を有する要素について主に説明する。
【００４７】
線源収容孔３２は、板状部３１を貫通して設けられ、板状部３１の一面に略円形の第一の開口部３２ａを有し、板状部３１の他面に略円形の第二の開口部３２ｂを有する。
【００４８】
第一の蓋部３３は、線源収容孔３２の第一の開口部３２ａを覆うものである。第一の蓋部３３の第一のヒンジ部３４と反対側の端部（他端３３ｂ）には切欠部３３ｃが形成されている。第二の蓋部４３は、線源収容孔３２側に弾性体３６を備え、線源収容孔３２の第二の開口部３２ｂを覆うものである。第二の蓋部４３の第二のヒンジ部４４と反対側の端部（他端４３ｂ）には切欠部４３ｃが形成されている。
【００４９】
第一のヒンジ部３４は、第一の蓋部３３の一端３３ａを板状部３１に取り付けるものである。第一のヒンジ部３４により、板状部３１の表面に第一の蓋部３３の一端３３ａを取り付けることにより、第一の蓋部３３の一端３３ａを基端として第一の蓋部３３を開閉可能とすることができる。
【００５０】
第二のヒンジ部４４は、第二の蓋部４３の一端４３ａを板状部３１に取り付けるものである。第二のヒンジ部４４により、板状部３１の表面に第二の蓋部４３の一端４３ａを取り付けることにより、第二の蓋部４３の一端４３ａを基端として第二の蓋部４３を開閉可能とすることができる。
【００５１】
第一の係止部３５は、第一の蓋部３３を板状部３１に係止するものである。第一の係止部３５は、スライド可能な部材を有しており、かかる部材を閉じられた第一の蓋部３３の方向にスライドさせて第一の蓋部３３の切欠部３３ｃと係合させることにより、第一の蓋部３３を板状部３１に係止することができる。
【００５２】
第二の係止部４５は、第二の蓋部４３を板状部３１に係止するものである。第二の係止部４５は、スライド可能な部材を有しており、かかる部材を閉じられた第二の蓋部４３の方向にスライドさせて第二の蓋部４３の切欠部４３ｃと係合させることにより、第二の蓋部４３を板状部３１に係止することができる。
【００５３】
線源収容治具３によれば、放射線源５０ａ、５０ｂを線源収容孔３２に収容する場合は、例えば第一の蓋部３３を閉める一方、第二の蓋部４３を開けた状態にして放射線源５０ａ、５０ｂを第二の蓋部４３側から線源収容孔３２に収容した後、弾性体３６を備える第二の蓋部４３を閉めることにより放射線源５０ａ、５０ｂを収容することができる。すなわち、放射線源５０ａ、５０ｂの全体を線源収容孔３２に収容した後に、第二の蓋部４３を閉じるため、弾性体３６の弾性力を放射線源５０ａ、５０ｂの押し込みに有効に使用することにより、放射線源５０ａ、５０ｂを容易に収容することができる。
【００５４】
放射線源５０ａ、５０ｂを線源収容孔３２から取り出す場合は、第一の蓋部３３および第二の蓋部４３が閉じられた状態から、第一の蓋部３３を開けたときに、弾性体３６の弾性力により放射線源５０ａ、５０ｂが線源収容孔３２の外方向に押し上げられることにより、放射線源５０ａ、５０ｂを取り出すことができる。これにより、放射線源５０ａ、５０ｂを容易に取り出すことができる。
【００５５】
従って、放射線源５０ａ、５０ｂの取り扱いを簡易にし、放射線源５０ａ、５０ｂの取扱時間を短くすることができる。このため、放射線源５０ａ、５０ｂの取扱者の放射線源５０ａ、５０ｂ取り扱い時の放射線被曝量を低減させることができる。
【００５６】
また、第一の蓋部３３および第二の蓋部４３が閉じられた状態のときに、板状部３１と第一の蓋部３３、板状部３１と第二の蓋部４３の外面がそれぞれ連続するように形成することにより、後述するドラム缶形状の校正装置７０への挿入、取り出しを容易に行うことができる。
【００５７】
図８は、ドラム缶形状の校正装置への配置を説明する図であり、図８（ａ）はドラム缶形状の校正装置（以下、適宜「校正装置７０」と記載）の上部の概略構成図、図８（ｂ）は校正装置７０の一部断面図である。
【００５８】
放射性物質が封入されたドラム缶の放射能濃度、表面汚染密度、表面線量当量率を測定可能な放射線検出器の校正には、図８に示すように、ドラム缶形状の校正装置７０が用いられる。線源収容治具１、３は、かかる放射線検出器の校正のために使用される放射線源５０ａ、５０ｂを収容することができる。
【００５９】
図８（ａ）に示すように、校正装置７０は、所定箇所に４つの治具挿入部７２を有する。放射線源５０ａ、５０ｂを収容した４つの線源収容治具１、３は、治具挿入部７２のそれぞれの開口部である治具挿入孔７２ａ、７２ｂ、７２ｃ、７２ｄから挿入される。従って、線源収容治具１、３をかかる方法で使用することにより、放射線源５０ａ、５０ｂの取り扱いを簡易にし、放射線源５０ａ、５０ｂの取扱時間を短くすることができる。これにより、放射線源５０ａ、５０ｂの取扱者の放射線源５０ａ、５０ｂ取り扱い時の放射線被曝量を低減させることができる。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、放射性物質を検査する装置、特に原子力発電所において、放射性物質が封入されたドラム缶の放射能濃度、表面汚染密度、表面線量当量率を測定することにより放射性物質を検査する放射線検出器、の校正のために使用される放射線源を収容する放射線源収容治具に利用することができる。
【符号の説明】
【００６２】
１、３  …線源収容治具
１０、３０  …線源収容部
１１、３１  …板状部
１２、３２  …線源収容孔
１２ａ  …開口部
１２ｂ  …底部
１３、２３  …蓋部
１３ａ、３３ａ、４３ａ  …蓋部の一端
１３ｂ、２３ｂ、３３ｂ、４３ｂ  …蓋部の他端
１４  …ヒンジ部
１５  …スライド部（係止部）
１５ａ、１５ｂ  …分割スライド部
１５ｃ  …接続部
１５ｄ  …雄ねじ
１５ｅ、１５ｆ  …ボールプランジャ
１５ｇ  …切欠部
１５ｈ、１５ｋ  …ねじ穴
１６、３６  …ばね（弾性体）
１７  …溝部
２５  …係止部
２６  …係止具
３２ａ  …第一の開口部
３２ｂ  …第二の開口部
３３  …第一の蓋部
３３ｃ、４３ｃ  …切欠部
３４  …第一のヒンジ部
３５  …第一の係止部
４３  …第二の蓋部
４４  …第二のヒンジ部
４５  …第二の係止部
５０ａ、５０ｂ  …放射線源
６０  …補強部
７０  …ドラム缶形状の校正装置
７１  …ドラム缶
７２  …治具挿入部
７２ａ、７２ｂ、７２ｃ、７２ｄ  …治具挿入孔
７３  …充填材
【図１】
2012103193.tif 000003
【図２】
2012103193.tif 000004
【図３】
2012103193.tif 000005
【図４】
2012103193.tif 000006
【図５】
2012103193.tif 000007
【図６】
2012103193.tif 000008
【図７】
2012103193.tif 000009
【図８】
2012103193.tif 000010